【手続補正書】
【提出日】平成19年2月21日(2007.2.21)
【手続補正１】
【補正対象書類名】特許請求の範囲
【補正対象項目名】全文
【補正方法】変更
【補正の内容】
【特許請求の範囲】
【請求項１】
データの発信元からマルチキャストアドレスを用いてマルチキャスト送信されたパケットに対して転送処理を行なうマルチキャスト配信制御装置であって、
パケットを送受信するための信号ポートを備えた少なくとも一つ以上のネットワークインタフェースと、
発信元が指定する第１のマルチキャストアドレスと、発信元が送信するデータが最終的に配信されるユーザが属する又は発信元が送信するデータを受信要求したユーザが属する第２のマルチキャストアドレスとを記憶する変換テーブルと、
前記変換テーブルを参照して、受信したマルチキャストパケットの第１のマルチキャストアドレスを第２のマルチキャストアドレスへ変換し、アドレス変換したマルチキャストパケットを第２のマルチキャストアドレスに対応する信号ポートを有する前記ネットワークインタフェースへ送信するマルチキャストパケット処理部と、
前記ネットワークインタフェースと前記変換テーブルと前記マルチキャストパケット処理部とを相互接続するスイッチ部と
を備えたマルチキャスト配信制御装置。
【請求項２】
請求項１に記載のマルチキャスト配信制御装置において、
前記変換テーブルは、更に、第１のマルチキャストアドレス及び第２のマルチキャストアドレスに対応する信号ポートＩＤを記憶し、
前記マルチキャストパケット処理部は、前記変換テーブルを参照して、受信したマルチキャストパケットの宛先アドレスを第１のマルチキャストアドレスから第２のマルチキャストアドレスへ変換し、且つ、検出した信号ポートＩＤに対応する信号ポートに前記マルチキャストパケットを転送するマルチキャスト配信制御装置。
【請求項３】
請求項１に記載のマルチキャスト配信制御装置において、
第２のマルチキャストアドレスとパケットの送信先信号ポートＩＤとの対応を記憶するマルチキャストグループ管理テーブルと、
前記マルチキャストグループ管理テーブルを参照して、第２のマルチキャストアドレスに基づき、アドレス変換したマルチキャストパケットの送信先信号ポートの信号ポートＩＤを検索するマルチキャストグループ管理プロトコル処理部とをさらに備え、
前記マルチキャストパケット処理部は、前記変換テーブルを参照して、受信したマルチキャストパケットの宛先アドレスを第１のマルチキャストアドレスから第２のマルチキャストアドレスへ変換し、且つ、アドレス変換したマルチキャストパケットを、前記マルチキャストグループ管理プロトコル処理部により検索された信号ポートＩＤに対応する信号ポートにのみ転送するマルチキャスト配信制御装置。
【請求項４】
請求項３に記載のマルチキャスト配信装置において、
前記マルチキャストグループ管理プロトコル処理部は、前記マルチキャストグループ管理テーブルの更新に応じて、前記変換テーブルを参照して得られたマルチキャストアドレスに対する受信要求・受信解除要求を、上流ルータの接続しているポートに出力するマルチキャスト配信制御装置。
【請求項５】
請求項１に記載のマルチキャスト配信制御装置において、
前記変換テーブルは、
受信するマルチキャストパケットの属するマルチキャストグループのユーザのユーザＩＤと、該ユーザＩＤに属するマルチキャストパケットに対して割り当てられた信号ポートＩＤとを記憶する接続情報テーブルと、
前記ユーザＩＤと、該ユーザＩＤに対して割り当てられている送信側の第１のマルチキャストアドレスと、前記ユーザＩＤに対して割り当てられている受信側の第２のマルチキャストアドレスとを記憶するユーザ対応テーブルと
を含み、
前記マルチキャストパケット処理部は、受信したマルチキャストパケットに対して、前記接続情報テーブル及び前記ユーザ対応テーブルを参照してアドレス変換を実行し、前記接続情報テーブルを参照してアドレス変換したパケットを転送する信号ポートＩＤを取得し、アドレス変換後のパケットを、該信号ポートＩＤの属するネットワークインタフェースへ転送するマルチキャスト配信制御装置。
【請求項６】
請求項１に記載のマルチキャスト配信制御装置において、
送信側の第１のマルチキャストアドレスと、受信側の第２のマルチキャストアドレスと、削除又は追加を示す処理内容が記憶される変換テーブル更新情報テーブルと、
前記変換テーブル更新情報テーブルに基づき、前記変換テーブルを更新する変換テーブル更新情報処理部と
を備えたマルチキャスト配信制御装置。
【請求項７】
請求項６に記載のマルチキャスト配信制御装置において、
前記変換テーブル更新情報テーブルを作成する変換テーブル更新情報作成装置をさらに備え、
前記変換テーブル更新情報作成装置は、
受信するマルチキャストパケットの属するマルチキャストグループのユーザのユーザＩＤと、該ユーザＩＤに属するマルチキャストパケットに対して割り当てられた信号ポートＩＤとを記憶する接続情報テーブルと、
前記ユーザＩＤに対応するユーザのプロファイル情報と、該プロファイル情報に対応するユーザＩＤとを記憶するユーザプロファイル情報テーブルと、
前記プロファイル情報に対応する送信側の第１のマルチキャストアドレスと、該プロファイル情報に対応する受信側の第２のマルチキャストアドレスと、該プロファイル情報とを記憶するプロファイル対応テーブルと、
前記ユーザＩＤに対応するユーザのプロファイル情報と、前記ユーザＩＤに対応する信号ポートＩＤとを記憶するプロファイルグループテーブルと、
前記接続情報テーブル及び前記ユーザプロファイル情報テーブルを参照して、ユーザＩＤに基づきこれらテーブルを合成することで、前記プロファイルグループテーブルを作成するプロファイルグループ情報作成部と、
前記プロファイルグループテーブル及び前記プロファイル対応テーブルを参照して、合成することにより、前記プロファイル情報に対応する送信側の第１のマルチキャストアドレスと、該プロファイル情報に対応する受信側の第２のマルチキャストアドレスと、該ユーザＩＤに属するマルチキャストパケットに対して割り当てられた信号ポートＩＤと、データの追加又は削除に関する処理内容とを含む変換テーブル更新情報テーブルを作成する変換テーブル更新情報作成部を
備えたマルチキャスト配信制御装置。
【請求項８】
請求項６に記載のマルチキャスト配信制御装置において、
前記変換テーブル更新情報テーブルを作成する変換テーブル更新情報作成装置をさらに備え、
前記変換テーブル更新情報作成装置は、
受信するマルチキャストパケットの属するマルチキャストグループのユーザのユーザＩＤと、該ユーザＩＤに属するマルチキャストパケットに対して割り当てられた信号ポートＩＤとを記憶する接続情報テーブルと、
前記ユーザグループＩＤと、前記ユーザＩＤに対応するユーザのプロファイル情報とを記憶するユーザプロファイル情報テーブルと、
前記ユーザグループＩＤと、該ユーザＩＤのユーザのプロファイル情報とを記憶するユーザグループ定義テーブルと、
前記ユーザグループＩＤと、前記ユーザグループＩＤに対応する送信側の第１のマルチキャストアドレスと、該ユーザグループＩＤに対応する受信側の第２のマルチキャストアドレスとを記憶するグループ対応テーブルと、
前記ユーザＩＤに対応するユーザのユーザグループＩＤと、前記ユーザＩＤに対応する信号ポートＩＤとを記憶するユーザグループテーブルと、
前記接続情報テーブル及び前記ユーザプロファイル情報テーブル及びユーザグループ定義情報テーブルを参照して、ユーザＩＤ及びプロファイル情報に基づき、これらテーブルを合成し、前記ユーザグループテーブルを作成するユーザグループテーブル作成部と、
前記ユーザグループテーブル及び前記プロファイル対応テーブルを参照して、合成することにより、前記ユーザグループＩＤに対応する送信側の第１のマルチキャストアドレスと、該ユーザグループＩＤに対応する受信側の第２のマルチキャストアドレスと、該ユーザＩＤに属するマルチキャストパケットに対して割り当てられた信号ポートＩＤと、データの追加又は削除に関する処理内容とを含む変換テーブル更新情報テーブルを作成する変換テーブル更新情報作成部を
備えたマルチキャスト配信制御装置。
【請求項９】
データの発信元からマルチキャストアドレスを用いてマルチキャスト送信されたパケットに対して転送処理を行なうマルチキャスト配信制御装置であって、
パケットを送受信するための信号ポートを備えた少なくとも一つ以上のネットワークインタフェースと、
発信元のサーバの識別子を表す第１の送信元アドレス及び発信元がコンテンツ配信のために指定する第１の送信先マルチキャストアドレスを含む第１のフロー識別子と、第１のフロー識別子に対応し、ユーザがマルチキャストパケットを受信するための受信要求に用いられる第２の送信元アドレス及び第２の送信先マルチキャストアドレスの少なくとも１つを含む第２のフロー識別子とを記憶する変換テーブルと、
前記変換テーブルを参照して、受信したマルチキャストパケットの第１のフロー識別子を第２のフロー識別子に変換し、且つ、アドレス変換したマルチキャストパケットを第２のフロー識別子に対応する信号ポートＩＤを有する前記ネットワークインタフェースへ送信するマルチキャストパケット処理部と、
前記ネットワークインタフェースと前記変換テーブルと前記マルチキャストパケット処理部とを相互接続するスイッチ部と
を備えたマルチキャスト配信制御装置。
【請求項１０】
データの発信元からマルチキャストアドレスを用いてマルチキャスト送信されたパケットに対して転送処理を行なうマルチキャスト配信制御装置であって、
パケットを送受信するための信号ポートを備えた少なくとも一つ以上のネットワークインタフェースと、
発信元のサーバの識別子を表す第１の送信元アドレス及び発信元がコンテンツ配信のために指定する第１の送信先マルチキャストアドレスを含む第１のフロー識別子と、第１のフロー識別子に対応する信号ポートＩＤを記憶する変換テーブルと、
前記変換テーブルを参照して、受信したマルチキャストパケットの第１のフロー識別子に対応する信号ポートＩＤに転送するマルチキャストパケット処理部と、
前記ネットワークインタフェースと前記変換テーブルと前記マルチキャストパケット処理部とを相互接続するスイッチ部と
を備えたマルチキャスト配信制御装置。
【手続補正２】
【補正対象書類名】明細書
【補正対象項目名】発明の名称
【補正方法】変更
【補正の内容】
【発明の名称】マルチキャスト配信制御装置